(57)【要約】【課題】遮蔽部材の交換等の手間を低減し、例えば遮蔽部材を第１電子機器とカバー部材の間に配置することが困難になるような状況においても、余分なアース線が必要となることなく遮蔽部材と第１電子機器を電気的に接続することが可能な遊技機を提供する。【解決手段】カバー部材２６を介して第１電子機器１７と隣り合うように配置される第２電子機器３５８と遮蔽部材３２を備え、遮蔽部材３２の遮蔽板部３３を第１電子機器１７と第２電子機器３５８との間でカバー部材２６の外側に取り付け可能に構成し、遮蔽部材３２の被接続部３６をカバー部材へ向けて折り曲げ、カバー部材の開口部３０に挿通して第１電子機器の接続部１９に当接した。【選択図】図１３
2008006133.tif 000002
【特許請求の範囲】
【請求項１】
導電性の接続部を有する第１電子機器と、
前記第１電子機器を覆うカバー部材と、
前記カバー部材を介して前記第１電子機器と隣り合うように配置される第２電子機器と、
前記第１電子機器と前記第２電子機器間のノイズを遮断する遮蔽板部と前記第１電子機器の接続部に接続される被接続部とが一体に形成された導電性の遮蔽部材と、
を備え、
前記遮蔽部材は前記遮蔽板部が前記第１電子機器と前記第２電子機器との間で前記カバー部材の外側に取り付け可能に構成されると共に、前記被接続部が前記カバー部材へ向けて折り曲げて形成され、
前記カバー部材には前記遮蔽部材の前記被接続部を挿通可能な開口部が形成され、前記開口部に挿通された前記被接続部が前記第１電子機器の前記接続部に当接した状態で固定されていることを特徴とする遊技機。
【請求項２】
前記第２電子機器が前記カバー部材の前記開口部を覆うように配置されたことを特徴とする請求項１に記載の遊技機。
【請求項３】
前記第１電子機器の前記接続部と前記遮蔽部材の前記被接続部とにそれぞれ孔部が形成され、
前記接続部と前記被接続部の双方の孔部に前記被接続部側から前記接続部側に向けて挿入されて前記接続部と前記被接続部を固定する固定部材を備え、
前記固定部材は、前記接続部と前記被接続部を固定した際に前記被接続部から突出して前記第１電子機器と前記カバー部材の間に位置することとなる突出部を一端側に備えることを特徴とする請求項１または２に記載の遊技機。
【発明の詳細な説明】
【技術分野】
【０００１】
本発明は、カバー部材を介して隣り合うように配置される第１電子機器と第２電子機器間のノイズを遮蔽するための遮蔽部材を備えた遊技機に関する。
【背景技術】
【０００２】
従来、パチンコ遊技機やスロット遊技機等の遊技機にあっては、遊技の制御等のために種々の電子機器が設けられている。また、電子機器がノイズで誤動作を生じることがあるため、ノイズを遮蔽するための遮蔽部材が設けられている。さらに、複数の電子機器が電子機器のカバー部材を介して左右あるいは上下または前後方向等に隣り合うようにして配置されることがあり、その場合、隣り合うようにして配置された電子機器同士は位置が接近していることによってノイズの影響を一層受けやすくなる。
【０００３】
例えば、特許文献１のように、制御基板とシールド部材とボックスベース及びボックスカバーとで構成されるサブ基板ボックスを備え、サブボックス基板内に制御基板及びシールド部材を収容し、前記シールド部材を制御基板とボックスベース間に配置し、制御基板のグランドにシールド部材の取付ソテーを当接させてビスで固定する遊技機がある。また、遊技機裏面側において、サブ基板ボックスのうち、ボックスベース側あるいはボックスカバー側に別の電子機器を重合した状態で配置し、遊技機裏面側を効率良く配置することも提案されている。
【０００４】
【特許文献１】特開２００３−２１０８０１号公報
【発明の開示】
【発明が解決しようとする課題】
【０００５】
しかしながら、前記の遊技機において、例えば、制御基板等の第１電子機器とボックスベース等のカバー部材との間にシールド部材等の遮蔽部材を配置した場合、シールド部材を交換等する際に、一旦ボックスベースと制御基板を外した後にシールド部材を外さねばならないなど手間がかかるおそれがある。
【０００６】
また、例えば、ボックスベース側に別の電子機器（第２電子機器）を重合して配置する際に遊技機の前後方向の厚みが大きくなると、遊技機を遊技店等の島に取り付けた際に、遊技機後方側が島設備等に接触して配置し難くなるおそれがある。そこで、ボックスベースと第２電子機器の幅やボックスベースと制御基板（第１電子機器）の幅を狭くして重なる範囲を減らすことにより遊技機の前後方向の厚みを極力狭くし、島等との接触の問題を極力低減する必要があるが、ボックスベースと制御基板の幅を狭くした場合、例えば、制御基板に配設されている機器等にシールド部材が接触するなどして、シールド部材を制御基板とボックスベースの間に配置することが困難になるおそれがあった。
【０００７】
本発明は、前記の点に鑑みなされたものであり、遮蔽部材の交換等の作業時の手間を低減し、また、例えば遮蔽部材を第１電子機器とカバー部材の間に配置することが困難になるような状況においても、余分なアース線が必要となることなく遮蔽部材と第１電子機器を電気的に接続することが可能な遊技機の提供を目的とする。
【課題を解決するための手段】
【０００８】
請求項１の発明は、導電性の接続部を有する第１電子機器と、前記第１電子機器を覆うカバー部材と、前記カバー部材を介して前記第１電子機器と隣り合うように配置される第２電子機器と、前記第１電子機器と前記第２電子機器間のノイズを遮断する遮蔽板部と前記第１電子機器の接続部に接続される被接続部とが一体に形成された導電性の遮蔽部材と、を備え、前記遮蔽部材は前記遮蔽板部が前記第１電子機器と前記第２電子機器との間で前記カバー部材の外側に取り付け可能に構成されると共に、前記被接続部が前記カバー部材へ向けて折り曲げて形成され、前記カバー部材には前記遮蔽部材の前記被接続部を挿通可能な開口部が形成され、前記開口部に挿通された前記被接続部が前記第１電子機器の前記接続部に当接した状態で固定されていることを特徴とする。
【０００９】
請求項２の発明は、請求項１において、前記第２電子機器が前記カバー部材の前記開口部を覆うように配置されたことを特徴とする。
【００１０】
請求項３の発明は、請求項１または２において、前記第１電子機器の前記接続部と前記遮蔽部材の前記被接続部とにそれぞれ孔部が形成され、前記接続部と前記被接続部の双方の孔部に前記被接続部側から前記接続部側に向けて挿入されて前記接続部と前記被接続部を固定する固定部材を備え、前記固定部材は、前記接続部と前記被接続部を固定した際に前記被接続部から突出して前記第１電子機器と前記カバー部材の間に位置することとなる突出部を一端側に備えることを特徴とする。
【発明の効果】
【００１１】
請求項１の発明によれば、遮蔽部材の遮蔽板部が第１電子機器と第２電子機器との間でカバー部材の外側に取り付け可能に構成されると共に、カバー部材の外側に遮蔽部材の遮蔽板部が取り付けられ、被接続部がカバー部材の開口部に挿通されて第１電子機器の接続部に当接した状態で固定されていることにより、第１電子機器と第２電子機器間におけるノイズの影響を遮蔽部材で抑えることが可能である。しかも、カバー部材の外側に遮蔽部材の遮蔽板部が取り付けられるため、遮蔽部材を脱着などする際の手間等を低減することが可能である。また、折り曲げられて形成された被接続部がカバー部材の開口部に挿通されて第１電子機器の接続部に当接する構成としたことにより、カバー部材の外側に遮蔽部材の遮蔽板部を取り付けた際に第１電子機器と遮蔽部材の遮蔽板部との間が離れた場合においても、余分なアース線を必要とすることなく、遮蔽部材と第１電子機器を電気的に接続することが可能である。
【００１２】
請求項２の発明によれば、第２電子機器がカバー部材の開口部を覆うように配置される構成としたことにより、第２電子機器側から異物等がカバー部材の開口部に侵入するおそれを低減し、開口部から異物等が侵入することにより第１電子機器が誤作動するおそれを低減することが可能である。
【００１３】
請求項３の発明によれば、第１電子機器の接続部と遮蔽部材の被接続部に形成された双方の孔部に被接続部側から接続部側に向けて挿入されて接続部と被接続部を固定する固定部材を備え、固定部材が、接続部と被接続部を固定した際に被接続部から突出して第１電子機器とカバー部材の間に位置することとなる突出部を一端側に備える構成としたことにより、固定部材の突出部がカバー部材の開口部を通って第２電子機器側へ向けて突出しないため、カバー部材と第２電子機器を極力近づけて配置することが可能である。
【発明を実施するための最良の形態】
【００１４】
以下、添付の図面に基づき本発明の実施形態を説明する。図１は本発明の一実施例に係る遊技機全体を示す正面図、図２は同実施例に遊技機の背面図である。
【００１５】
図１に示す遊技機１は、遊技媒体として遊技球を用いるパチンコ遊技機であって、遊技盤２の縁に外レール３及び内レール４が略円形に配置され、前記外レール３及び内レール４によって区画された遊技領域６が前記遊技盤２上に設けられている。本実施例における前記遊技領域６は略円形とされているが、円形に限るものではなく、例えば少なくとも一部が略直線状とされたものでもよい。また、遊技機１の前面側には、左ランプ３５ａ及び右ランプ３５ｂからなるランプ装置、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を前記遊技領域６へ向けて弾発発射するための球発射装置６４が設けられている。なお、符号Ｆ１は遊技機の外枠、Ｆ２は外枠Ｆ１に取り付けられた前枠、Ｇは前枠Ｆ２に開閉可能にヒンジで取り付けられたガラス枠である。また、前記遊技領域６には、前記遊技領域６に打ち込まれた遊技球を誘導する複数の釘Ｊが所要位置に立設されている。釘Ｊは、全てを図に示すと煩雑になるため、主要な釘のみを示している。以下、遊技機１の主要な部分について説明する。
【００１６】
前記外レール３の一部と前記内レール４間は、遊技球の案内通路５を構成し、前記球発射装置６４によって発射された遊技球が通過して前記遊技領域６へ打ち込まれるように構成されている。なお、前記発射装置６４は発射レバー６５を一方向へ回動させることによって遊技球の発射強度が調節可能に構成されている。
【００１７】
前記遊技領域６には、略上半分に装飾枠部材部材７が設けられ、前記装飾枠部材部材７の背面側に図柄表示装置２０が配設され、前記装飾枠部材部材７で囲まれた部分から前記図柄表示装置２０の図柄表示領域が遊技機前面側へ露出している。前記装飾枠部材７の直下には上側始動入賞口４１と下側始動入賞口４２が配置され、さらに前記下側始動入賞口４２の下方に大入賞口４５が配置され、その下方にアウト口４９が配置されている。前記下側始動入賞口４２及び前記大入賞口４５の左右には左袖入賞口５１、右袖入賞口５２、左落とし入賞口５３、右落とし入賞口５４が配置されている。前記左袖入賞口５１の上方にはＬＥＤ表示装置等からなる普通図柄表示装置５０が配置されている。また、前記センター役物の左側上部にはゲート５５、その下方に風車７６が設けられている。前記遊技領域６に打ち込まれた遊技球が、種々の入賞口に入球（入賞）すると賞品球が払い出され、何れの入賞口にも入球しない場合には前記アウト口４９から遊技領域外へ排出される。
【００１８】
前記装飾枠部材７は、周囲の随所の位置に、前記遊技領域６を図柄表示装置１０側とその外側とに区画するための壁部８ａが遊技盤２の前方側（遊技者側）へ向けて立設されていると共に、下方内面側には前記遊技領域６から装飾部材７の内側に進入した遊技球を一旦転動（揺動）させ、その後に遊技領域６における装飾部材７の下方側へ流下させるステージ等の転動面８ｂが形成されている。なお、前記装飾部材７の下側については前記遊技領域６から区画する前記壁部８ａが立設されていない。また、前記装飾部材７の左側側部の壁部には前記装飾枠部材７の左側を流下する遊技球を装飾枠部材８の内側へ誘導するワープルート入口８ｃが、前記ゲート５５よりも下方位置に貫通形成されている。なお、前記ゲート５５を遊技球が通過すると後述のように前記普通図柄表示装置５０で普通図柄が変動する。
【００１９】
前記図柄表示装置２０は、遊技が大当たりか否かの判定結果を特別図柄の組合せで表示するものであり、液晶，ドットマトリックス若しくはＬＥＤ表示装置等の表示装置からなる。本実施例では、液晶表示器（ＴＦＴ−ＬＣＤモジュール）で構成されている。
【００２０】
前記図柄表示装置２０は、前面の表示領域における左側に左特別図柄が、中央に中特別図柄が、右側に右特別図柄が、それぞれ変動表示及び停止表示可能とされている。本実施例において、前記左側、中央、右側にそれぞれ表示される特別図柄は、数字が『０，１，２，３，４，５，６，７，８，９，１０，１１』とされた１２種類で構成され、大当たりの場合には、前記左側、中央、右側に、いわゆるぞろ目、すなわち数字が同一の特別図柄からなる当たり図柄の組合せ（例えば‘７，７，７’等）で停止表示されることにより、大当たりであることを示すようになっている。
【００２１】
前記上側始動入賞口４１は、上方が遊技球入球口として開口している。また、前記下側始動入賞口４２は、２つの可動片４２ａ，４２ｂを備えると共に、前記２つの可動片４２ａ，４２ｂの先端間が遊技球の入球可能領域とされ、前記可動片４２ａ，４２ｂが背面の始動入賞口用ソレノイドにより略垂直にされて入球（入賞）のし難い入球可能領域狭小状態と、略Ｖ字形（逆ハの字形）に拡開されて入球（入賞）のし易い入球可能領域拡大状態間を変化可能に制御されている。前記下側始動入賞口４２の可動片４２ａ，４２ｂの拡開は、前記普通図柄表示部５０で表示される普通図柄（小当たり判定図柄）が変動した後に予め決められた特定の普通図柄で確定停止表示されて小当たり（普通図柄当たり）が成立した時に行われようにようにされている。なお、前記普通図柄表示部５０は、小当たり判定図柄として記号或いは絵（キャラクタ）等からなる普通図柄が変動表示及び停止表示可能とされている。本実施例における前記普通図柄表示部５０に変動及び停止表示される普通図柄（小当たり判定図柄）は、『０，１，２，３，４，５，６，７，８，９』の１０通りの図柄とされており、前記ゲート５５に遊技球が入球することに起因して変動開始し、所定時間変動後に停止表示され、小当たりの場合には、前記普通図柄表示部５０に奇数の普通図柄で停止表示するようになっている。
【００２２】
前記上側始動入賞口４１及び前記下側始動入賞口４２の裏側には、特別図柄変動開始スイッチ（図示せず）が設けられている。前記上側始動入賞口４１あるいは前記下側始動入賞口４２（すなわち入賞領域）に遊技球が入球して遊技球の存在が前記特別図柄変動開始スイッチで検出されると、前記上側始動入賞口４１（入賞領域）あるいは前記下側始動入賞口４２（入賞領域）における遊技球の入球に起因して前記図柄表示装置２０で特別図柄の変動が開始され、所要時間変動した後に停止表示する図柄表示遊技が実行される。そして、停止特別図柄の組合せにより大当たりか否かの結果が示される。前記停止特別図柄の組合せが大当たりの場合には、後記の大当たり遊技（特別遊技）が行われる。
【００２３】
前記大入賞口４５は、遊技盤背面の大入賞口開放用ソレノイド（図示せず）によって開閉する開閉板４６を備えている。この大入賞口４５は、通常は開閉板４６が閉じた状態とされ、大当たり遊技の際に開くようになっている。前記大入賞口４５の一部には、該大入賞口４５が開いた際に開口して入賞（入球）可能にする特定領域入賞口４７を有する。さらに、前記特定領域入賞口４７には、所定条件時に特定領域開放用ソレノイドにより開閉される開閉扉（図示せず）が設けられている。また、前記特定領域入賞口４７には特定領域入賞口への入賞球（入球遊技球）を検出する特定入賞球検出スイッチ（特定領域センサー）が設けられ、該入賞球の検出により前記大入賞口４５を再度開ける継続権利が成立するようにされている。前記大入賞口４５内の略中央には、前記大入賞口４５に入賞し、かつ前記特定領域入賞口４７に入賞しなかった入賞球を検出する入賞球数カウントスイッチ（図示せず）が設けられている。
【００２４】
前記大当たり遊技では、前記大入賞口４５の開閉板４６が開いて前記遊技領域６の表面を流下してくる遊技球を受け止め、前記大入賞口４５へ入賞可能にする。そして、前記大入賞口４５への入賞があると、賞球払出装置により所定数の遊技球が賞品球として払い出される。前記開閉板４６は、所定時間（例えば２９．５秒）経過後、或いは前記入賞球数カウントスイッチで検出された入賞球数が所定個数（例えば１０個）となった時点で閉じるようにされている。
【００２５】
前記大入賞口４５の開放中又は大入賞口４５が閉じてから約２秒以内に、前記特定領域入賞口４７への入賞球を特定入賞球検出スイッチが検出すると、前記大当たりを再度繰り返す継続権利が発生し、所定最高回数（例えば最高１５回）、前記開閉板４６の開放を繰り返すようになっている。
【００２６】
図２に示すように、前記遊技機１の背面側には遊技のための装置等が設けられている。前記遊技機１の背面側には、略中央部に前記遊技盤２が取り付けられ、前記遊技盤２よりも上方には、遊技球を貯留するタンク３０１、前記タンク３０１からの遊技球を払出装置３８０へ誘導するタンクレール３０２、遊技機外の装置と接続するための枠用外部端子基板３１０が取り付けられている。
【００２７】
前記遊技盤２は、略中央部が開口しており、図３及び図４に示すように、前記開口部２ａを遊技盤背面側から塞ぐようにして、前記図柄表示装置１０が取り付けられている。前記図柄表示装置１０の取り付けは、図柄表示装置収納ケース固定部材１３と、図柄表示装置収納ケースカバー部材２６間に収納されて行われている。前記図柄表示装置１０の背面にはインバータ制御基板１７が配設されて前記図柄表示装置１０と共に、前記図柄表示装置収納ケース固定部材１３と図柄表示装置収納ケースカバー部材２６間に収納されている。また、前記図柄表示装置収納ケースカバー部材２６の背面には、遮蔽部材３２が取り付けられ、さらに前記遮蔽部材３２の一部を覆って音声・図柄表示制御基板収納ケース３５０が取り付けられている。前記音声・図柄表示制御基板収納ケース３５０内には、音声制御基板３５５と図柄表示制御基板３５８が横に並んで収納されている。なお、これらについては、後に詳述する。
【００２８】
前記遊技盤２の背面における前記図柄表示装置収納ケース固定部材１３及び前記図柄表示装置収納ケースカバー部材２６の下方には、主制御基板３１５とランプ制御基板３１７が収納された主制御・ランプ制御基板収納ケース３１０が取り付けられている。
【００２９】
前記遊技機１の背面側における前記遊技盤２の一側の側部には、入賞等の際に遊技球を払い出すための払出装置３８０と、カードインターフェース接続部３９０が設けられている。また、前記遊技盤２の下方には払出制御基板３７５が収納された払出制御基板収納ケース３７０、電源制御基板３８５が収納された電源制御基板収納ケース３８０、発射装置制御基板３９５が収納された発射装置制御基板収納ケース３９０がそれぞれ配設されている。
【００３０】
主な制御基板について説明する。前記主制御基板３１５は、ＣＰＵ，ＲＡＭ，ＲＯＭ，複数のカウンタを備えたワンチップマイクロコンピュータと、該ワンチップマイクロコンピュータと図柄表示制御基板３５５やランプ制御基板３１７、音声制御基板３５８等とを結ぶ入出力回路と、前記ワンチップマイクロコンピュータと払出制御基板３７５等とを結ぶ入出力回路を備え、遊技の当否判定や各制御回路に対する制御等、遊技の主な制御を行う。前記主制御基板３１５のＣＰＵは、制御部，演算部，各種カウンタ，各種レジスタ，各種フラグ等を備え、演算制御を行う他、大当たりや小当たり（下側始動入賞口４２の拡開開放を行う普通図柄当たり）に関する乱数等も生成し、また前記各回路に制御コマンド（制御信号）を出力（送信）可能に構成されている。前記ＲＡＭは、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値等が書き込まれている。
【００３１】
前記ランプ制御基板３１７は、前記主制御基板３１５から受信したコマンドに基づいて前記ランプ装置の発光制御を行う。前記ランプ制御基板には、ランプ制御用ＣＰＵの他にランプ装置の制御データを記憶する制御データ、受信したコマンドを一時記憶する制御データＲＡＭ、発光データを記憶する発光データＲＯＭを備える。
【００３２】
前記図柄表示制御基板３５５は、前記主制御基板からのコマンドに基づいて前記表示装置１０及び普通図柄表示部５０の制御を行う。前記図柄表示制御基板３５５には、表示制御用ＣＰＵの他に表示装置の制御データを記憶する制御データＲＯＭ、受信コマンドを一時記憶する制御データＲＡＭ、表示データを記憶する表示データＲＯＭなどを備える。
【００３３】
前記音声制御基板３５８は、前記主制御基板３１０からのコマンドに基づいて、スピーカ３８から発生させるＢＧＭや演出時の音声の選択を行い、前記スピーカ３８から発する音声を制御する。前記音声制御基板３５８には、音声制御用ＣＰＵの他に音声を発生させるための制御データ等を記憶する制御データＲＯＭ、受信コマンドを一時記憶する制御データＲＡＭ、演出時の各種音声データ、ＢＧＭデータを記憶する音声データＲＯＭを備える。前記音声制御用ＣＰＵが、前記受信コマンドに基づいて音声データＲＯＭから必要な音声データを読み出し、音声信号を合成し、アンプに出力する。アンプは音声信号を増幅してスピーカ３８に出力する。
【００３４】
前記払出制御基板３７５は主制御基板３１５からの受信コマンドに基づいて前記払出装置１８１による賞球及び貸球の払出を制御する。
【００３５】
前記電源制御基板３８５は、遊技機の各部に使用される電源を制御し、各部に供給する。
【００３６】
前記発射装置制御基板３９５は、遊技者の手が操作レバー５４に触れているか否かを、前記操作レバー５４に設けられているタッチセンサ（図示せず）により検出し、前記発射装置５３を制御する。
【００３７】
本実施例では、前記図柄表示装置１０、前記インバータ制御基板１７、前記図柄表示装置収納ケースカバー部材２６、前記遮蔽部材３２、前記音声制御基板３５８等に本発明が適用されている。以下、それらについて詳述する。
【００３８】
前記図柄表示装置１０は、図３及び図４に示すように、前記図柄表示装置収納ケース固定部材１３と、前記図柄表示装置収納ケースカバー部材２６間に収納されて、前記遊技盤２の背面に取り付けられる。
【００３９】
前記図柄表示装置収納ケース固定部材１３は、前記図柄表示装置１０の表示部を遊技機前方側から透視可能なように、前記装飾部材７の開口部７ａと一致するように同等の大きさの開口部１３ａが形成されている。前記図柄表示装置収納ケース固定部材１３は、周縁が前記遊技盤２の開口部２ａの周縁を包囲するようにして前記遊技盤２の背面にビス等で取り付けられる。
【００４０】
前記図柄表示装置１０は、本実施例では表示部を前面側に有する液晶１０１と、前記液晶１０１の表示部を除く部分、すなわち前記液晶１０１の側面及び背面を覆う液晶フレーム１０３とで構成されている。
【００４１】
前記液晶フレーム１０３の背面（遊技機背面側の面）１０３ａには、所定位置に、本実施例では遊技機背面側から見た場合の左側に導電性の導電部１０４が形成されており、前記導電部１０４と接触するようにして前記インバータ制御基板１７が配置される。前記導電部１０４は、前記インバータ制御基板１７のグランドと接続されて前記図柄表示装置１０からのノイズを後述するようにインバータ制御基板１７から前記図柄制御基板３５５を経て最終的に遊技機のアース線に逃がすためのものであり、図１１に示すように、前記液晶フレーム１０３の背面１０３ａから遊技機背面側方向へ膨らんで形成されている。前記図柄表示装置１０は、前記インバータ制御基板１７と共に前記図柄表示装置収納ケースカバー部材２６内に収納され、その状態で前記図柄表示装置収納ケースカバー部材２６が前記図柄表示装置収納ケース固定部材１３にビス等で固定されることにより、前記遊技盤２の背面に取り付けられる。この取り付けにより、前記液晶１０１の表示部が前記装飾部材７の開口部７ａ、前記遊技盤２の開口部２ａ及び前記図柄表示装置収納ケース固定部材１３の開口部１３ａを通して遊技機前方から視認可能となる。
【００４２】
前記インバータ制御基板１７は、前記液晶１０１のバックライトに使用される冷陰極管の点灯に使用するための制御基板であり、本実施例では第１電子機器に相当する。前記インバータ制御基板１７は、直流を比較的高周波の交流に変換するものであり、比較的高い周波数で発信して電波を発するトランス１５が設けられている。前記インバータ制御基板１７は、前記図柄表示制御基板３５５とハーネスＨにより電気的に接続される。前記インバータ制御基板１７には、前記ハーネスＨの端末部と接続するためのコネクタ１６が設けられている。また、前記インバータ制御基板１７の基板回路を示す図５のように、前記インバータ制御基板１７には、背面（遊技機背面側の面）１７ａに前記コネクタ１６を取り付けるためのコネクタ取付部１８が設けられると共に、左下角の位置に導電性の接続部１９が設けられている。前記インバータ制御基板１７における接続部１９は、本発明における第１電子機器の接続部に相当する。また、前記インバータ制御基板１７には、前記接続部１９とコネクタ取付部１８とを含む所定範囲にグランド２０が連続して形成されており、これによって前記接続部１９と前記コネクタ１６が前記グランド２０を介して電気的に通じている。なお、前記背面１７ａにおける他の角の位置には、前記グランド２０によって前記接続部１９及び前記コネクタ取付部１８と通じる導通部２１が形成されている。
【００４３】
また、前記インバータ制御基板１７における前面（遊技機前面側を向く面、すなわち前記液晶フレーム１０３を向く面）１７ｂには、四隅に前記液晶フレーム１０３の導電部１０４と当接するための導電性当接部２２が形成されている。前記導電性当接部２２は、前記液晶フレーム１０３の導電部１０４と当接して電気的に接続するためのものであり、前記インバータ制御基板１７の背面１７ａにおける前記接続部１９及び導通部２１の反対側に位置している。前記四隅の導電性当接部２２は、裏面のグランド２３によって電気的に通じ、かつ前記背面１７ａの前記接続部１９及び導通部２１と導通可能とされている。
【００４４】
前記インバータ制御基板１７においては、四隅に貫通孔からなる孔部２４が形成され、前記孔部２４の外周を包囲する環形状に前記接続部１９、導通部２１、導電性当接部２２が形成されている。前記孔部２４には前記背面１７ａ側からビスなどが挿通されて、前記インバータ制御基板１７の四隅が前記液晶フレーム１０３の導電部１０４に固定される。それによって前記インバータ制御基板１７が前記液晶フレーム１０３に固定されると共に、前記液晶フレーム１０３の導電部１０４が前記インバータ制御基板１７の導電性当接部２２及び裏面のグランド２３等を介して前記コネクタ取付部１８に通じる。前記ビスなどで前記インバータ制御基板１７を前記導電部１０４に固定する際、前記導電部１０４が遊技機背面側方向へ膨らんでいるため、ビスの先端などが前記液晶１０１と接触して液晶１０１を破損させるおそれを防ぐことが可能である。なお、前記孔部２４のうち、前記接続部１９に形成されている孔部２４ａは、本発明における第１電子機器に形成された孔部に相当する。また、前記接続部１９の孔部２４ａは、本実施例においては後述のように遮蔽部材３２の被接続部３６の孔部３７とビス等で固定される。
【００４５】
前記インバータ制御基板１７は、前記図柄表示装置１０と共に前記図柄表示装置収納ケースカバー部材２６で覆われるが、前記インバータ制御基板１７とそれを覆う前記図柄表示装置収納ケースカバー部材２６とは、略平行となる位置とするのが好ましい。この構成とすることにより、前記インバータ制御基板１７と前記記図柄表示装置収納ケースカバー部材２６の幅を極力小さくすることが可能となる。
【００４６】
前記図柄表示装置収納ケースカバー部材２６は、本発明における第１電子機器を覆うカバー部材に相当する。図６は前記図柄表示装置収納ケースカバー部材２６の背面側斜視図と背面図である。前記図柄表示装置収納ケースカバー部材２６は、前記図柄表示装置１０及び前記インバータ制御基板１７に被さることのできる大きさの箱形状からなる。前記
図柄表示装置収納ケースカバー部材２６には、音声・図柄基板収納ケース３５０を位置決めするための位置決め部２８が、前記背面（遊技機背面側の面）２７の下部側における四方に鈎形状のリブ状に突出形成されている。前記位置決め部２８で包囲される範囲における左側部分は、前記図柄表示装置収納ケースカバー部材２６内に収納された前記インバータ制御基板１７のトランス１５に対して、真後ろの位置となっている。なお、符号２９は前記ハーネス挿通穴である。
【００４７】
前記基板収納ケース位置決め部２８の内側には、図６の背面図において鎖線で示すように、前記音声・図柄表示制御基板収納ケース３５０が配置され、ビスや係合爪（図示せず）などで取り付けられる。前記音声・図柄表示制御基板収納ケース３５０内には、左側（すなわち前記インバータ制御基板１７の後方、特には前記トランス１５の後方）に前記音声制御基板３５８が収納され、その右隣に前記図柄表示制御基板３５０が収納されている。しかし、そのように前記音声・図柄表示制御基板収納ケース３５０を取り付けた場合、次のような不具合を生じやすい。すなわち、前記インバータ制御基板（第１電子機器）１７と前記音声制御基板３５８（第２電子機器）が前記図柄表示装置収納ケースカバー部材２６を介して前後に隣り合うことになるため、互いにノイズの影響を受けやすくなる。通常、前記トランス１５は電波を強く発するため、前記インバータ制御基板１７の後方側（特にトランス１５の後方側）に、別の電子機器を配置する場合、所定距離以上間隔を空けて配置しないと、前記トランスからの電波が別の電子機器（本実施例では音声制御基板３５８）にノイズとなって影響を与え、別の電子機器（本実施例では音声制御基板３５８）が電波により不具合を生じるおそれがある。
【００４８】
また、前記ノイズによる不具合の解消を目的として、前記インバータ制御基板１７と前記音声制御基板３５８との間隔を離すため、前記音声制御基板３５８及び前記図柄制御基板３５５が収納されている音声・図柄表示制御基板収納ケース３５０を前記インバータ制御基板１７から遠く離して配置した場合、前記遊技機の前後厚みが増す（特には遊技機後方側へ突出する）こととなり、遊技機を遊技店の島設備に設置した場合に、遊技機の後方側が島設備に接触したりする等の問題を生じる。この問題を防ぐために、遊技機の前後厚みを極力小さくしようとすると、前記インバータ制御基板１７（及び前記図柄表示装置収納ケースカバー部材２６）と前記音声制御基板３５８（及び前記音声・図柄表示制御基板収納ケース３５０）を極力接近させる必要がある。
【００４９】
しかし、前記インバータ制御基板１７と前記音声制御基板３５８を近づけた場合には、前記のように前記インバータ制御基板１７によるノイズの影響を前記音声制御基板３５８が受けて、前記スピーカ３８から雑音を生じたりするおそれがある。
【００５０】
そこで、本実施例では、前記インバータ制御基板１７と前記音声・図柄表示制御基板収納ケース３５０との間に位置する前記図柄表示装置収納ケースカバー部材２６の背面２７に前記遮蔽部材３２を配置固定するように構成したのである。以下その構成について詳述する。
【００５１】
前記遮蔽部材３２は、金属板等の導電性の板状体からなり、図７に示すように、平板状の遮蔽板部３３と、前記図柄表示装置収納ケースカバー部材２６側へ折り曲げられた被接続部３６とが一体に形成されたものからなる。図示の遮蔽部材３２は、縦長な略長方形の金属板状体からなって、少なくとも一部が平板状の遮蔽板部３３と、前記遮蔽板部３３の面方向Ｍから略垂直方向Ｎの前記図柄表示装置収納ケースカバー部材２６側（前記インバータ制御基板１７側）へ折り曲げられた被接続部３６とからなる。本実施例では、前記被接続部３６は、前記遮蔽板部３３の左下角部が前記図柄表示装置収納ケースカバー部材２６側へ略垂直に折り曲げられている。さらに、本実施例では、前記被接続部３６の先端部３６ａは、前記遮蔽板部３３と略平行に前記遮蔽部材３２の下方へ折り曲げられていると共に、前記被接続部３６の先端部３６ａに孔部３７が形成されている。前記被接続部３６の孔部３７は、本発明における遮蔽部材の被接続部に形成された孔部に相当する。また、前記遮蔽板部３３の下部には、前記図柄表示装置収納ケースカバー部材２６の背面２７への取付孔３４が２カ所に形成されている。
【００５２】
前記遮蔽部材３２は、前記図柄表示装置収納ケースカバー部材２６の背面２７に前記遮蔽板部３３が前記インバータ制御基板１７の少なくとも前記トランス１５を覆うことができる位置に配置され、前記取付孔３４に挿通されたビスなどで前記図柄表示装置収納ケースカバー部材２６の背面２７に図８に示すように取り付けられる。符号Ｂはビスを示す。  
【００５３】
また、前記遮蔽板部３３におけるビスＢなどによる取り付けは、図１２に示すように、前記図柄表示装置収納ケースカバー部材２６と前記音声・図柄表示制御基板収納ケース３５０が隣り合わない（本実施例では前後に隣り合わない、すなわち重合しない）位置で行われる。この構成により、前記図柄表示装置収納ケースカバー部材２６と前記音声・図柄表示制御基板収納ケース３５０との隙間を前記ビスＢなどの頭の厚み（高さ）分空ける必要を無くすことが可能である。これによって、前記音声・図柄表示制御基板収納ケース３５０が遊技機後方側（背面方向側）へ突出する部分を低減することが可能である。すなわち、前記遮蔽板部３３のうち、少なくとも前記図柄表示装置収納ケースカバー部材２６と前記音声・図柄表示制御基板収納ケース３５０が隣り合う部分に前記遮蔽板部の固定部材の一端（例えばビスなどの頭等）の突出部が位置しなければよい。
【００５４】
本実施例では、前記遮蔽部材３２は、前記図柄表示装置収納ケースカバー部材２６の背面２７における前記位置決め部２８で囲まれた範囲の左端に配置されると共に、前記取付孔３４の形成されている遮蔽板部３３の下部が、前記位置決め部２８で囲まれた範囲から下方へはみ出し、その他の部分が前記位置決め部２８で囲まれた範囲内に位置するようにされている。これによって、前記遮蔽板部３３を前記図柄表示装置収納ケースカバー部材２６に固定するビスＢなどの頭が前記図柄表示装置収納ケースカバー部材２６の背面と前記音声・図柄表示制御基板収納ケース３５０の間の隙間に介在するのを防ぎ、前記ビスＢなどの頭の高さ分（厚み分）、前記図柄表示装置収納ケースカバー部材２６の背面２７から前記音声・図柄表示制御基板収納ケース３５０を遊技機後方へ離す必要がなくなり、遊技機の前後厚みが大になるのを抑えることが可能となっている。
【００５５】
これとは逆に、前記図柄表示装置収納ケースカバー部材２６への前記遮蔽板部３３の配置上、ビスＢの頭等の突出部を、前記図柄表示装置収納ケースカバー部材２６と前記音声・図柄表示制御基板収納ケース３５０の前後に隣り合う部分に位置させねばならない場合には、図９に示す別実施例の遮蔽部材３２Ａのように、前記遮蔽板部３３Ａにおいて、ビスＢの頭等の突出部Ｂａが位置することとなる面の部分３３１ａを低くして段差を設けて前記突出部Ｂａの突出量を少なくする構成としてもよい。このように、前記音声・図柄表示制御基板収納ケース３５０は、ビスＢの頭部等の突出部Ｂａではなく、平板状の前記遮蔽板部３３Ａ上に配置した状態となるため、前記音声・図柄表示制御基板収納ケース３５０を前記遮蔽部材３２Ａ上に配置した場合においても、前記音声・図柄表示制御基板収納ケース３５０ががたつく等のおそれを低減することが可能である。
【００５６】
また、図６に示すように、前記図柄表示装置収納ケースカバー部材２６の背面２７における前記位置決め部２８で囲まれた範囲内の左下角付近には、前記遮蔽部材３２の被接続部３６が挿通可能な開口部３０が形成されている。前記開口部３０は、前記インバータ制御基板１７における左下角部に設けられている前記接続部１９が視認可能な位置に形成されるのが好ましい。本実施例では、前記接続部１９の真後ろの位置に前記開口部３０が形成され、前記接続部１９が視認可能となっている。前記開口部３０は、本発明における遮蔽部材の被接続部を挿通可能な開口部に相当する。
【００５７】
前記開口部３０に前記遮蔽部材３２の被接続部３６が挿通された状態で前記遮蔽板部３３が前記図柄表示装置収納ケースカバー部材２６の背面２７に取り付けられる。この取り付けによって、図１０及び図１１に示すように、前記被接続部３６が前記インバータ制御基板１７の接続部１９と当接するようにされている。また、本実施例では、前記接続部１９と前記被接続部３６との当接をより確実にするため、前記被接続部３６の孔部３７と前記接続部１９の孔部２４ａに、前記被接続部３６側から前記接続部１９側に向けてビスなどの固定部材Ｂ１を挿入して前記接続部１９と前記被接続部３６を固定している。前記ビスなどの固定部材Ｂ１は、前記被接続部３６から突出して前記インバータ制御基板１７と前記図柄表示装置収納ケースカバー部材２６の間に位置する突出部Ｂ１ａを、前記固定部材Ｂ１の一端（遊技機後方側）に有している。前記固定部材Ｂ１がビスからなる場合には、前記突出部Ｂ１ａはビスの頭部で構成される。本実施例では、前記固定部材Ｂ１はビスからなり、前記被接続部３６側から前記接続部１９側に向けて前記被接続部３６の孔部３７と前記接続部１９の孔部２４ａに挿入され、前記ビスの先端（遊技機前面側）を前記液晶フレーム１０３の導電部１０４にネジ止めし、それによって、前記接続部１９と前記被接続部３６との当接及び、前記導電部１０４と前記インバータ制御基板１７における前記導電性当接部２２との当接をより確実にしている。その際、図１１を用いて既に説明したように、前記導電部１０４が遊技機背面側方向へ膨らんでいるため、前記ビスの先端などが前記液晶１０１と接触して前記液晶１０１を破損させるおそれを防ぐことが可能である。
【００５８】
また、本実施例では、前記被接続部３６が挿入される前記図柄表示装置収納ケースカバー部材２６の開口部３０は、前記接続部１９を視認可能な位置にあるため、前記被接続部３６の長さを極力短くすることが可能である。
【００５９】
その後、図１２及び図１３に示すように、前記音声制御基板３５８（第２電子機器）及び前記図柄表示制御基板３５５を収納した前記音声・図柄表示制御基板収納ケース３５０が、前記図柄表示装置収納ケースカバー部材２６の背面２７における前記位置決めリブ２８で囲まれた範囲に配置され、ビスなどで前記背面２７に取り付けられる。そして、前記インバータ制御基板１７と前記図柄表示制御基板３５５が前記ハーネスＨによって接続される。前記図柄表示装置収納ケースカバー部材２６の背面２７への前記音声・図柄表示制御基板収納ケース３５０の取り付けによって、前記音声・図柄表示制御基板収納ケース３５０内の音声制御基板３５８が、前記インバータ制御基板１７のトランス１５に対して前記図柄表示装置収納ケースカバー部材２６を介して後方へ隣接した位置になる。
【００６０】
前記の構成により、前記インバータ制御基板１７の特にトランス１５から多量に発生した電波あるいは前記音声制御基板３５８から発生したノイズ等が前記遮蔽部材３２の遮蔽板部３３により遮蔽され、遮蔽された電波等を前記遮蔽部材３２の被接続部３６を通じて当該被接続部３６と当接している前記インバータ制御基板１７の接続部１９に流すことが可能である。さらに、前記インバータ制御基板１７の接続部１９は、前記コネクタ取付部１８付近までグランド２０，２３が連続して設けられているため、前記接続部に流れた電波等は前記グランド２０，２３を通じてコネクタ取付部１８から前記コネクタ１６に乗り、さらに前記コネクタ１６に接続されている前記ハーネスＨに乗って前記図柄制御基板３５５側に流れて行く。その後は、最終的にアース線に乗って遊技機外へ流れることになる。
【００６１】
また、前記図柄表示装置１０から発生するノイズは、前記液晶フレーム１０３における前記導電部１０４を経て前記インバータ制御基板１７の接続部１９に流すことが可能である。その後は、前記と同様にして前記コネクタ１６及び前記ハーネスＨに乗って前記図柄制御基板３５５側に流れ、最終的にアース線に乗って遊技機外へ流れる。したがって、前記図柄表示装置１０がノイズによって破損する等のおそれを低減することが可能である。ここで、前記図柄表示装置（第３電子機器に相当する）１０におけるノイズの影響抑制に関する前記構成について概念化すると、「少なくとも、一部に導電性の導電部を設けた第３電子機器を備え、前記第３電子機器に前記第１電子機器を前記導電部と前記接続部とが当接するように配設し、前記カバー部材により少なくとも前記第１電子機器を含むように覆う構成である。この構成によれば、前記第３電子機器から生じるノイズ等を前記導電部から前記接続部に向けて流すことが可能である。」となる。
【００６２】
以上の構成により、前記遮蔽部材は遮蔽板部と前記被接続部が一体的に形成されて、前記カバー部材（本実施例では前記図柄表示装置収納ケースカバー部材）の外側に取り付けられているため、例えば、前記遮蔽部材の交換等の手間を低減させることが可能である。また、前記遮蔽部材からのノイズを他の電子機器に逃がすための余分なアース線を必要とすることなく、電波などをグランドに流すことが可能である。
【００６３】
なお、前記接続部１９と前記被接続部３６と前記導電部１０４は、ただ当接させるだけでもよいが、本実施例のようにビスなどの固定部材Ｂ１を前記被接続部３６側から前記接続部側１９に向けて挿入して前記接続部１９と前記被接続部３６と前記導電部１０４を固定すれば、それらの当接がより確実になる。
【００６４】
また、本実施例のようにビスなどの固定部材Ｂ１を前記被接続部３６側から前記接続部側１９に向けて挿入した場合、前記被接続部３６から前記図柄表示装置収納ケースカバー部材２６側に向けて固定部材Ｂ１が突出する部分、すなわち前記突出部Ｂ１ａが生じる。前記突出部分Ｂ１ａが前記図柄表示装置収納ケースカバー部材２６の開口部３０から前記音声・図柄表示制御基板収納ケース３５０側へ向けて突出した場合、前記図柄表示装置収納ケースカバー部材２６と前記音声・図柄表示制御基板収納ケース３５０との間隔が少なくとも前記突出部Ｂ１ａの突出分だけ空くおそれがあるため、遊技機後方側へ向けて厚みが増すおそれがある。このような問題を極力低減させるために、前記突出部Ｂ１ａが前記開口部３０から突出しないように、前記インバータ制御基板１７と前記図柄表示装置収納ケースカバー部材２６の背面２７の間隔は、前記突出部Ｂ１ａよりも大きく設計されている。したがって、前記図柄表示装置収納ケースカバー部材２６と前記音声・図柄表示制御基板収納ケース３５０は極力近づけることが可能であり、遊技機前後方向の厚みを薄く（遊技機後方側へ突出を少なく）することが可能である。
【００６５】
また、前記図柄表示装置収納ケースカバー部材２６の開口部３０は、前記音声・図柄表示制御基板収納ケース３５０が前記図柄表示装置収納ケースカバー部材２６の背面２７に取り付けられた際に前記音声・図柄表示制御基板収納ケース３５０で覆われるのが好ましい。この構成とすることにより、例えば、故意あるいは不意に前記図柄表示装置収納ケースカバー部材２６の内側にある制御基板に対して前記開口部３０を通じて異物を侵入させることで誤作動等が生じるおそれを低減させることが可能である。
【００６６】
なお、本実施例では、被接続部の長さを極力短くするために接続部が視認可能な位置に開口部をカバー部材に設けたが、それに限られるものではなく、接続部と被接続部が当接可能な位置であれば、前記開口部は何処でもよい。
【００６７】
また、本実施例ではインバータ制御基板と音声制御基板に関わる部分について本発明を説明したが、本発明はそれに限られるものではなく、例えば、他のノイズ等を発生する制御基板や電子機器にも適用することが可能である。
【００６８】
本実施例では、遮蔽板部が少なくともインバータ制御基板におけるトランスのある位置を覆うように取り付けられているが、インバータ制御基板全体を覆うように構成してもよい。さらに、本発明は、パチンコ遊技機に限られるものではなく、スロットマシン等の他の遊技機にも適用可能である。
【図面の簡単な説明】
【００６９】
【図１】本発明の一実施例に係る遊技機全体を示す正面図である。
【図２】同実施例における遊技機の背面図である。
【図３】同実施例における装飾部材、遊技盤、図柄表示装置等を分解して示す遊技機前面側からの斜視図である。
【図４】同実施例における装飾部材、遊技盤、図柄表示装置等を分解して示す遊技機背面側からの斜視図である。
【図５】同実施例におけるインバータ制御基板の前面側及び背面側の図である。
【図６】同実施例における図柄表示装置収納ケースカバー部材の背面側斜視図と背面図である。
【図７】同実施例における遮蔽部材の斜視図、背面図、側面図である。
【図８】同実施例における遮蔽部材を取り付けた状態の図柄表示装置収納ケースカバー部材の背面図である。
【図９】遮蔽部材の別実施例についての側面図である。
【図１０】図１〜図８の実施例における接続部と被接続部付近の斜視図である。
【図１１】図１０におけるＡ部の断面図である。
【図１２】同実施例における音声・図柄表示制御基板収納ケースを取り付けた状態の図柄表示装置収納ケースカバー部材の背面図である。
【図１３】図１２における接続部と被接続部付近の断面図である。
【符号の説明】
【００７０】
１  遊技機
２  遊技盤
６  遊技領域
７  装飾部材
１０  図柄表示装置
１７  インバータ制御基板（第１電子機器）
２４ａ  接続部の孔部
２６  図柄表示装置収納ケースカバー部材
３０  図柄表示装置収納ケースカバー部材の開口部
３２  遮蔽部材
３３  遮蔽板部
３６  被接続部
３７  被接続部の孔部
３５８  音声制御基板（第２電子機器）
Ｂ１  固定部材
Ｂ１ａ  固定部材の突出部
【図１】
2008006133.tif 000003
【図２】
2008006133.tif 000004
【図３】
2008006133.tif 000005
【図４】
2008006133.tif 000006
【図５】
2008006133.tif 000007
【図６】
2008006133.tif 000008
【図７】
2008006133.tif 000009
【図８】
2008006133.tif 000010
【図９】
2008006133.tif 000011
【図１０】
2008006133.tif 000012
【図１１】
2008006133.tif 000013
【図１２】
2008006133.tif 000014
【図１３】
2008006133.tif 000015